(57)【要約】【課題】オーガ式除雪機による除雪作業の効率化を図ること。【解決手段】正転オーガ４１を有している正転軸４３と、正転用駆動軸６２と、逆転オーガ４２を有している逆転軸４４と、逆転用駆動軸６３とが同軸上に配置されたオーガ式除雪機１０である。該正転軸と該正転用駆動軸とには、径方向へ突出した突出部６６ａ，６７ａを有する正転用フランジ６６，６７が設けられている。該各正転用フランジの突出部同士は、正転用シャーボルト６８によって連結されている。該逆転軸と該逆転用駆動軸とには、径方向へ突出した突出部７２ａ，７３ａを有する逆転用フランジ７２，７３が設けられている。該各逆転用フランジの突出部同士は、逆転用シャーボル７４トによって連結されている。該各正転用フランジと該各逆転用フランジとのいずれか一方は、該正転軸と該逆転軸との近傍に位置している。【選択図】図３
2015031062.tif 000002
【特許請求の範囲】
【請求項１】
正転オーガを有している正転軸と、該正転軸を駆動する正転用駆動軸と、逆転オーガを有している逆転軸と、該逆転軸を駆動する逆転用駆動軸とが、同軸上に配置され且つ機体の前部に位置しているオーガ式除雪機において、
前記正転軸と前記逆転軸とは軸長手方向に近接し、
前記正転軸と前記正転用駆動軸とには、径方向へ突出した突出部を有している異形状の正転用フランジが、それぞれ設けられ、
前記各正転用フランジの突出部同士は、予め設定された剪断力が作用した場合に破断可能な正転用シャーボルトによって連結され、
前記逆転軸と前記逆転用駆動軸とには、径方向へ突出した突出部を有している異形状の逆転用フランジが、それぞれ設けられ、
前記各逆転用フランジの突出部同士は、予め設定された剪断力が作用した場合に破断可能な逆転用シャーボルトによって連結され、
前記各正転用フランジと前記各逆転用フランジとのいずれか一方は、前記正転軸と前記逆転軸との近傍に位置していることを特徴とするオーガ式除雪機。
【発明の詳細な説明】
【技術分野】
【０００１】
本発明は、オーガ式除雪機のオーガ部分の改良技術に関する。
に関する。
【背景技術】
【０００２】
除雪機のなかには、機体の前部にオーガハウジングを取り付けた型式のオーガ式除雪機がある。オーガハウジングはオーガを備える。該オーガ式除雪機は、前進走行しつつ前部のオーガによって雪を掻き集め、掻き集めた雪をブロアによってシュータを介して遠くへ飛ばすことができる。このようなオーガ式除雪機の技術は特許文献１から知られている。
【０００３】
特許文献１で知られているオーガ式除雪機は、左右の正転オーガと、該左右の正転オーガに対し逆方向へ回転する左右の逆転オーガとが、同軸上に配置されてオーガハウジング内の幅方向に１列に並んでいる。該オーガハウジングの後部に且つ幅方向中央にはブロアハウジングが設けられている。該ブロアハウジング内にはブロアが設けられている。
【０００４】
しかし、除雪作業時に、正転オーガと逆転オーガとの間の空間に雪が溜まることによって、正転軸や逆転軸に雪が付着しようとする。該空間に雪が溜まると、除雪作業の効率化を図る上では不利である。
【先行技術文献】
【特許文献】
【０００５】
【特許文献１】特開２００４−３６０３７９号公報
【発明の概要】
【発明が解決しようとする課題】
【０００６】
本発明は、オーガ式除雪機による除雪作業の効率化を図ることができる技術を、提供することを課題とする。
【課題を解決するための手段】
【０００７】
請求項１に係る発明によれば、正転オーガを有している正転軸と、該正転軸を駆動する正転用駆動軸と、逆転オーガを有している逆転軸と、該逆転軸を駆動する逆転用駆動軸とが、同軸上に配置され且つ機体の前部に位置しているオーガ式除雪機において、前記正転軸と前記逆転軸とは軸長手方向に近接し、前記正転軸と前記正転用駆動軸とには、径方向へ突出した突出部を有している異形状の正転用フランジが、それぞれ設けられ、前記各正転用フランジの突出部同士は、予め設定された剪断力が作用した場合に破断可能な正転用シャーボルトによって連結され、前記逆転軸と前記逆転用駆動軸とには、径方向へ突出した突出部を有している異形状の逆転用フランジが、それぞれ設けられ、前記各逆転用フランジの突出部同士は、予め設定された剪断力が作用した場合に破断可能な逆転用シャーボルトによって連結され、前記各正転用フランジと前記各逆転用フランジとのいずれか一方は、前記正転軸と前記逆転軸との近傍に位置していることを特徴とするオーガ式除雪機が提供される。
【発明の効果】
【０００８】
請求項１に係る発明では、各正転用フランジの突出部同士は正転用シャーボルトによって連結されている。動力源から正転用駆動軸に伝達された駆動力は、該正転用シャーボルトを介して、正転軸に伝わる。また、各逆転用フランジの突出部同士は逆転用シャーボルトによって連結されている。動力源から逆転用駆動軸に伝達された駆動力は、逆転用シャーボルトを介して、逆転軸に伝わる。正転用オーガと逆転用オーガの少なくとも一方による異物の噛み込み現象が発生した場合に、各シャーボルトの少なくとも一部が破断することによって、噛み込み現象が発生したオーガを保護することができる。
【０００９】
さらには、該各正転用フランジと該各逆転用フランジとのいずれか一方は、正転軸と逆転軸との近傍に位置している。このため、正転オーガと逆転オーガとの間の空間に位置している該突出部は、正転オーガ及び逆転オーガと共に回転する。除雪作業時に、正転オーガと逆転オーガとの間の空間に雪が溜まることによって、正転軸や逆転軸に雪が付着しようとしても、該突出部が回転することによって、該空間に溜まる雪を剪断することができる。従って、正転軸や逆転軸への雪の付着を抑制することができる。この結果、該空間に雪が溜まらないので、効率よく除雪することができる。しかも、シャーボルトを取り付けるための異形状のフランジによって、該突出部を構成することができる。従って、別部材からなる突出部を設ける必要がないので、部品数が少なくてすむ。
【図面の簡単な説明】
【００１０】
【図１】本発明に係るオーガ式除雪機の側面図である。
【図２】図１に示されるオーガ駆動系をオーガ式除雪機の正面から見た模式図である。
【図３】図２に示されるオーガ及びトランスミッションの略右半分をオーガ式除雪機の正面から見て断面した図である。
【図４】図３に示される各正転用フランジ同士の合わせ部分の断面図である。
【図５】図４に示されるシャーボルトを取り付ける正転用フランジを正転軸の軸方向外側から見た図である。
【発明を実施するための形態】
【００１１】
本発明を実施するための形態を添付図に基づいて以下に説明する。なお、「前」、「後」、「左」、「右」、「上」、「下」は作業者から見た方向に従い、Ｆｒは前側、Ｒｒは後側、Ｌｅは左側、Ｒｉは右側を示す。
【実施例】
【００１２】
実施例に係るオーガ式除雪機について説明する。図１に示されるように、オーガ式除雪機１０は、機体１１（車体フレーム１１）に走行装置１２と除雪作業部１３と動力源１４とを備えた自走式除雪機である。機体１１の後部から後方上部へ操作ハンドル１５が延びている。作業者は、オーガ式除雪機１０（以下、単に「除雪機１０」という。）に連れて歩行しながら、操作ハンドル１５によって該除雪機１０を操作することができる。
【００１３】
該除雪作業部１３は、オーガハウジング２１、該オーガハウジング２１の後部に且つ幅方向中央に設けられたブロアハウジング２２、該オーガハウジング２１内に設けられたオーガ２３、該ブロアハウジング２２内に設けられたブロア２４、及び該ブロアハウジング２２から上方へ延びたシュータ２５からなる。
【００１４】
該動力源１４は、走行装置１２と除雪作業部１３を駆動するものであり、例えばエンジンによって構成される。該動力源１４の動力は、駆動プーリ３１と伝動ベルト３２と従動プーリ３３と伝動軸３４の経路によって、ブロア２４に伝わるとともに、該伝動軸３４からトランスミッション３５を介してオーガ２３に伝わる。オーガ２３によって掻き集めた雪を、ブロア２４によってシュータ２５を介して遠くへ飛ばすことができる。なお、走行装置１２は、電動モータによって駆動される構成であってもよい。
【００１５】
以下、該除雪作業部１３について詳しく説明する。ブロアハウジング２２は、機体１１に取り付けられている。ブロア２４は、ブロアハウジング２２内において前記伝動軸３４に取り付けられている。該伝動軸３４の先端部には、トランスミッション３５の入力軸６１が連結されている。該トランスミッション３５は、オーガハウジング２１内に位置している。
【００１６】
図２は、オーガ駆動系を模式的に表している。図３は、図２に示されるオーガ２３及びトランスミッション３５の略右半分の構成を、より詳しく表している。図２及び図３に示されるように、オーガ２３は、除雪機１０（図１参照）による除雪時に、上から前下方（矢印Ｒａ方向）へ向かって回転する左右の正転オーガ４１，４１と、該左右の正転オーガ４１，４１に対し逆方向（矢印Ｒｂ方向）へ回転する左右の逆転オーガ４２，４２とからなる。左の正転オーガ４１と左の逆転オーガ４２とは、軸長手方向に近接している。右の正転オーガ４１と右の逆転オーガ４２とは、軸長手方向に近接している。
【００１７】
以下、オーガ２３の回転方向については、除雪機１０による除雪時に、上から前下方、つまり矢印Ｒａ方向へ向かって（図１の反時計回りに）回転することを「正転」という。また、該左右の正転オーガ４１，４１に対して逆方向、つまり矢印Ｒｂ方向（図１の時計回りの方向）へ回転することを「逆転」という。
【００１８】
該左右の正転オーガ４１，４１（正転オーガ爪４１，４１）は、所定幅の帯状の部材であって、スパイラル状に形成されるとともに、左右の正転軸４３，４３に設けられている。該左右の正転オーガ４１，４１のスパイラル方向は、該左右の正転オーガ４１，４１が正転することにより、破砕した雪をオーガハウジング２１の幅方向中央に寄せ集める方向である。
【００１９】
該左右の逆転オーガ４２，４２（逆転オーガ爪４２，４２）は、所定幅の帯状の部材であって、スパイラル状に形成されるとともに、左右の逆転軸４４，４４に設けられている。該左右の逆転オーガ４２，４２のスパイラル方向は、該左右の逆転オーガ４２，４２が逆転することにより、破砕した雪をオーガハウジング２１の幅方向中央に寄せ集める方向である。
【００２０】
該左右の正転軸４３，４３と該左右の逆転軸４４，４４とは、同軸上（図３に示される軸線Ｘｓ上）に配置されてオーガハウジング２１内の幅方向に１列に並んでいる。つまり、該左右の正転軸４３，４３と該左右の逆転軸４４，４４とは、互いに同軸上に配置され、且つ機体１１（図１参照）の前部に位置している。左の正転軸４３と左の逆転軸４４とは、軸長手方向に近接している。右の正転軸４３と右の逆転軸４４とは、軸長手方向に近接している。
【００２１】
トランスミッション３５は、左右の正転用駆動軸６２，６２と１つの逆転用駆動軸６３とを有する。
【００２２】
該左右の正転用駆動軸６２，６２は、互いに同軸上に位置するとともに、オーガハウジング２１の幅方向に延びている。該左右の正転用駆動軸６２，６２は、トランスミッション３５のケース６４に回転可能に支持されたパイプ軸によって構成されており、入力軸６１に駆動力を入力することによって、正転方向Ｒａにのみ回転可能である。つまり、左右の正転用駆動軸６２，６２の回転方向Ｒａは、左右の正転オーガ４１，４１を正転させる方向である。
【００２３】
該逆転用駆動軸６３は、オーガハウジング２１の幅方向に延び、左右の正転用駆動軸６２，６２に相対回転可能に嵌合するとともに、該左右の正転用駆動軸６２，６２よりも軸長手方向の外側へ突出している。該逆転用駆動軸６３は、入力軸６１に駆動力を入力することによって、逆転方向Ｒｂにのみ回転可能である。つまり、該逆転用駆動軸６３の回転方向Ｒｂは、該左右の逆転オーガ４２，４２を逆転させる方向である。
【００２４】
該左右の正転用駆動軸６２，６２には、ケース６４寄りに位置する左右の正転用回転軸６５，６５と、該ケース６４から離れて位置する前記左右の正転軸４３，４３とが、嵌合している。つまり、左右の正転用回転軸６５，６５及び左右の正転軸４３，４３は、パイプ軸（パイプ状の軸）によって構成されている。より詳しく述べると、該左右の正転用回転軸６５，６５は、該左右の正転用駆動軸６２，６２に対して、軸方向への相対移動と相対回転の両方が規制されて連結されている。該左右の正転軸４３，４３は、該左右の正転用回転軸６５，６５に対して、軸長手方向外側に隣接しており、該左右の正転用駆動軸６２，６２に相対回転可能である。
【００２５】
該「右」の正転用回転軸６５と該「右」の正転軸４３とには、それぞれ右の正転用フランジ６６，６７が設けられている。図４及び図５に示されるように、該各右の正転用フランジ６６，６７は、該右の正転用回転軸６５と該右の正転軸４３の、軸方向に相対する端面に位置するとともに、互いに軸方向に重ね合わされている。該各右の正転用フランジ６６，６７の基本的な形状は円板状である。つまり、該各右の正転用フランジ６６，６７は、円板の外周面から一部だけを径方向へ突出した突出部６６ａ，６７ａを有している、いわゆる異形状のフランジである。
【００２６】
該各右の正転用フランジ６６，６７の突出部６６ａ，６７ａ同士は、１本の正転用シャーボルト６８によって、連結されている。該正転用シャーボルト６８は、予め設定された剪断力が作用した場合に破断可能な部材である。詳しくは、該正転用シャーボルト６８は、該各突出部６６ａ，６７ａに形成された各貫通孔６６ｂ，６７ｂに挿通されて、ナット６９がねじ込まれることにより、各突出部６６ａ，６７ａ同士を締め付ける部材である。
【００２７】
該正転用シャーボルト６８の一部には、小径部６８ａが形成されている。該小径部６８ａは、該正転用シャーボルト６８のなかの、該各突出部６６ａ，６７ａ同士の合わせ面に位置しており、他部分よりも小径の部分である。該小径部６８ａに作用する剪断力が、予め設定された基準剪断力に達した場合に、該小径部６８ａは破断して各突出部６６ａ，６７ａ同士の連結を遮断することが可能である。
【００２８】
図２に示されるように、該「左」の正転用回転軸６５と該「左」の正転軸４３にも、それぞれ左の正転用フランジ６６，６７が設けられている。該各左の正転用フランジ６６，６７は、上述の該各「右」の正転用フランジ６６，６７と同じ構成であり、正転用シャーボルト６８によって連結されている。
【００２９】
なお、該左右の正転用回転軸６５，６５を廃止して、該左右の正転用フランジ６６，６６を該左右の正転用駆動軸６２，６２に直接に設けることが可能である。つまり、該左右の正転用フランジ６６，６６は、該左右の正転用駆動軸６２，６２に対して直接に又は間接的に設ける構成であればよい。
【００３０】
図２及び図３に示されるように、逆転用駆動軸６３の軸長手方向両端部には、左右の正転軸４３，４３に隣接した左右の逆転用回転軸７１，７１と、該左右の正転軸４３，４３から離れた前記左右の逆転軸４４，４４とが、嵌合している。つまり、左右の逆転用回転軸７１，７１及び左右の逆転軸４４，４４は、パイプ軸（パイプ状の軸）によって構成されている。より詳しく述べると、該左右の逆転用回転軸７１，７１は、該逆転用駆動軸６３に対して、軸方向への相対移動と相対回転の両方が規制されて連結されている。該左右の逆転軸４４，４４は、左右の逆転用回転軸７１，７１に対し軸長手方向外側に隣接しており、該逆転用駆動軸６３に相対回転可能である。
【００３１】
該「右」の逆転用回転軸７１と該「右」の逆転軸４４とには、それぞれ右の逆転用フランジ７２，７３が設けられている。該各右の逆転用フランジ７２，７３は、該右の逆転軸４４と該右の逆転用回転軸７１の、軸方向に相対する端面に位置するとともに、互いに軸方向に重ね合わされている。該各右の逆転用フランジ７２，７３は、実質的に（基本的に）上述の左右の正転用フランジ６６，６７と同じ構成である。詳しくは、該各右の逆転用フランジ７２，７３の基本的な形状は円板状である。つまり、該各右の逆転用フランジ７２，７３は、真円状の外周面から一部だけを径方向へ突出した突出部７２ａ，７３ａを有している、いわゆる異形状のフランジである。
【００３２】
該各右の逆転用フランジ７２，７３の突出部７２ａ，７３ａ同士は、１本の逆転用シャーボルト７４によって、連結されている。該逆転用シャーボルト７４は、実質的に（基本的に）上述の該正転用シャーボルト６８と同様の構成であり、ナット７５がねじ込まれることにより、各突出部７２ａ，７３ａ同士を締め付ける部材である。
【００３３】
詳しく述べると、該逆転用シャーボルト７４は、予め設定された剪断力が作用した場合に破断可能な部材である。つまり、該逆転用シャーボルト７４の一部には、小径部７４ａが形成されている。該小径部７４ａは、該逆転用シャーボルト７４のなかの、該各突出部７２ａ，７３ａ同士の合わせ面に位置しており、他部分よりも小径の部分である。該小径部７４ａに作用する剪断力が、予め設定された基準剪断力に達した場合に、該小径部７４ａは破断して各突出部７２ａ，７３ａ同士の連結を遮断することが可能である。
【００３４】
図２に示されるように、該「左」の逆転軸４４と該「左」の逆転用回転軸７１にも、それぞれ左の逆転用フランジ７２，７３が設けられている。該各左の逆転用フランジ７２，７３は、上述の該各「右」の逆転用フランジ７２，７３と同じ構成であり、逆転用シャーボルト７４によって連結されている。
【００３５】
なお、該左右の逆転用回転軸７１，７１を廃止して、該左右の逆転用フランジ７２，７２を該逆転用駆動軸６３に直接に設けることが可能である。つまり、該左右の逆転用フランジ７２，７２は、該逆転用駆動軸６３に対して直接に又は間接的に設ける構成であればよい。
【００３６】
図２及び図３に示されるように、該各右の正転用フランジ６６，６７と、該各右の逆転用フランジ７２，７３の、いずれか一方は、右の正転軸４３と右の逆転軸４４との近傍に位置している。該各左の正転用フランジ６６，６７と、該各左の逆転用フランジ７２，７３の、いずれか一方も、左の正転軸４３と左の逆転軸４４との近傍に位置している。
【００３７】
以上の説明をまとめると、次の通りである。なお、オーガ２３の右半分についてのみ説明し、左半分については該左半分と同じなので省略する。
【００３８】
各正転用フランジ６６，６７の突出部６６ａ，６７ａ同士は、正転用シャーボルト６８によって連結されている。動力源１４（図１参照）から正転用駆動軸６２に伝達された駆動力は、該正転用シャーボルト６８を介して、正転軸４３に伝わる。また、各逆転用フランジ７２，７３の突出部７２ａ，７３ａ同士は逆転用シャーボルト７４によって連結されている。動力源１４から逆転用駆動軸６３に伝達された駆動力は、逆転用シャーボルト７４を介して、逆転軸４４に伝わる。正転用オーガ４１と逆転用オーガ４２の少なくとも一方による異物の噛み込み現象が発生した場合に、各シャーボルト６８，７４の少なくとも一部が破断することによって、噛み込み現象が発生したオーガ４１，４２を保護することができる。
【００３９】
さらには、該各正転用フランジ６６，６７と該各逆転用フランジ７２，７３とのいずれか一方は、正転軸４３と逆転軸４４との近傍に位置している。このため、正転オーガ４１と逆転オーガ４２との間の空間Ｓｐに位置している該突出部７２ａ，７３ａは、正転オーガ４１及び逆転オーガ４２と共に回転する。除雪作業時に、正転オーガ４１と逆転オーガ４２との間の空間Ｓｐに雪が溜まることによって、正転軸４３や逆転軸４４に雪が付着しようとしても、該突出部７２，７３が回転することによって、該空間Ｓｐに溜まる雪を剪断することができる。従って、正転軸４３や逆転軸４４への雪の付着を抑制することができる。この結果、該空間Ｓｐに雪が溜まらないので、効率よく除雪することができる。しかも、シャーボルト７４を取り付けるための異形状のフランジ７２，７３によって、該突出部７２ａ，７３ａを構成することができる。従って、別部材からなる突出部を設ける必要がないので、部品数が少なくてすむ。
【産業上の利用可能性】
【００４０】
本発明のオーガ式除雪機１０は、少なくともオーガ２３をエンジン１４によって駆動する除雪機に好適である。
【符号の説明】
【００４１】
１０    オーガ式除雪機
１１    機体
２１    オーガハウジング
２３    オーガ
４１    正転オーガ
４２    逆転オーガ
４３    正転軸
４４    逆転軸
６１    入力軸
６２    正転用駆動軸
６３    逆転用駆動軸
６６    正転用フランジ
６７ａ  突出部
６７    正転用フランジ
６７ａ  突出部
６８    正転用シャーボルト
７２    逆転用フランジ
７２ａ  突出部
７３    逆転用フランジ
７３ａ  突出部
７４    逆転用シャーボルト
Ｒａ    正転方向（上から前下方へ向かう方向）
Ｒｂ    逆転方向（逆方向）
【図１】
2015031062.tif 000003
【図２】
2015031062.tif 000004
【図３】
2015031062.tif 000005
【図４】
2015031062.tif 000006
【図５】
2015031062.tif 000007